(57)【要約】  本開示は、画像処理方法及びフレキシブルスクリーン端末を提供する。この方法において、フレキシブルスクリーン端末の操作者からの前記フレキシブルスクリーン端末を曲げるための第１入力を受信ことと、前記第１入力に応答して、フレキシブルスクリーン端末の第１表示領域にＮ個の画像を表示し、前記フレキシブルスクリーン端末の第２表示領域に操作制御領域を表示することと、前記Ｎ個の画像のうちのＭ個のターゲット画像を選択するためのユーザの第２入力を受信することと、前記第２入力に応答して、前記第２入力で選択されたＭ個のターゲット画像を前記操作制御領域に表示することと、前記第１表示領域に前記Ｍ個のターゲット画像内のテキスト情報を表示することとを含む。【選択図】  図１
2021516374.tif 000002
【特許請求の範囲】
【請求項１】
フレキシブルスクリーン端末に応用される画像処理方法であって、
フレキシブルスクリーン端末の操作者からの前記フレキシブルスクリーン端末を曲げるための第１入力を受信ことと、
前記第１入力に応答して、フレキシブルスクリーン端末の第１表示領域にＮ（正の整数）個の画像を表示し、前記フレキシブルスクリーン端末の第２表示領域に操作制御領域を表示することと、
前記Ｎ個の画像のうちのＭ（正の整数であり、Ｍ≦Ｎ）個のターゲット画像を選択するためのユーザの第２入力を受信することと、
前記第２入力に応答して、前記第２入力で選択されたＭ個のターゲット画像を前記操作制御領域に表示することと、
前記第１表示領域に前記Ｍ個のターゲット画像内のテキスト情報を表示することとを含み、
ここで、前記第１表示領域及び前記第２表示領域は、前記第１入力で形成される第１折れ線によってフレキシブルスクリーン端末の表示領域を分割した２つの領域である、画像処理方法。
【請求項２】
前記のユーザの第２入力を受信することは、
前記フレキシブルスクリーン端末を曲げるユーザの第２入力を受信することを含み、
前記第２入力に応答して、前記第２入力で選択されたＭ個のターゲット画像を前記操作制御領域に表示することは、
前記第２入力で形成される第２折れ線を取得することと、
前記第２折れ線の所定側のＭ個のターゲット画像を前記操作制御領域に表示することとを含む、請求項１に記載の画像処理方法。
【請求項３】
前記第２表示領域は、前記第１表示領域に表示されるＮ個の画像の位置及び大きさにそれぞれ１対１に対応する位置及び大きさを有するＮ個の空白サブ領域を含み、
前記のユーザの第２入力を受信することは、
前記第２表示領域のＭ個のターゲットサブ領域におけるユーザのＭ回のタッチ操作を受信することを含み、
前記の前記第２入力に応答して、前記第２入力で選択されたＭ個のターゲット画像を前記操作制御領域に表示することは、
前記第１表示領域に表示されたＮ個の画像のうち、前記Ｍ個のターゲットサブ領域の位置にそれぞれ対応するＭ個のターゲット画像を前記操作制御領域に表示することを含む、請求項１に記載の画像処理方法。
【請求項４】
前記のユーザの第２入力を受信することは、
前記第１表示領域のＭ個のターゲット画像に対するユーザのＭ回の制御操作を受信することを含み、
ここで、前記制御操作は、ターゲット画像を押圧して前記フレキシブルスクリーン端末の第１表示領域を回転させる回転操作と、ターゲット画像をクリックする操作と、ターゲット画像上でのスライド操作の少なくとも一つを含む、請求項１に記載の画像処理方法。
【請求項５】
前記第２入力で選択されたＭ個のターゲット画像を前記操作制御領域に表示することは、
前記第２入力で選択されたターゲット画像が前記操作制御領域に移動する移動軌跡を表示することを含む、請求項１に記載の画像処理方法。
【請求項６】
前記の前記第１表示領域に前記Ｍ個のターゲット画像内のテキスト情報を表示した後に、
ユーザからの前記フレキシブルスクリーンの画面表示モードを調整するための第３入力を受信することと、
前記第３入力に応答して、前記第１表示領域の画面モードをＡＯＤ（Ａｌｗａｙｓ  Ｏｎ  Ｄｉｓｐｌａｙ）に調整し、前記第２表示領域の画面モードをＯＳＤ（Ｏｎ  Ｓｃｒｅｅｎ  Ｄｉｓｐｌａｙ）に維持することとを更に含む、請求項１に記載の画像処理方法。
【請求項７】
前記の前記第１表示領域に前記Ｍ個のターゲット画像内のテキスト情報を表示する前に、
前記第２表示領域に対するユーザの第４入力を受信することを更に含み、
ここで、前記第４入力は、第１所定方向の１本の指のスライド操作又は複数指のスライド操作であり、
前記第１表示領域に前記Ｍ個のターゲット画像内のテキスト情報を表示することは、
前記第４入力に応答して、前記第１表示領域に前記Ｍ個のターゲット画像内のテキスト情報を表示することを含む、請求項１に記載の画像処理方法。
【請求項８】
前記の前記第２入力で選択されたＭ個のターゲット画像を前記操作制御領域に表示した後に、
前記第２表示領域に表示された第１ターゲット画像に対するユーザの第５入力を受信することと、
前記第５入力に応答して、前記第２表示領域上の前記第１ターゲット画像の表示を消去することとを更に含み、
ここで、前記第５入力は、前記第１ターゲット画像に対する第２所定方向へのドラッグ操作である、請求項１に記載の画像処理方法。
【請求項９】
フレキシブルスクリーン端末の操作者からの前記の第１入力を受信する前に、
前記フレキシブルスクリーン端末の表示領域に第１データを全画面表示することを更に含み、
前記第１表示領域に前記Ｍ個のターゲット画像内のテキスト情報を表示した後に、
前記フレキシブルスクリーンが展開状態に復帰した場合に、前記第１入力を受信する前に表示されていた前記第１データを前記フレキシブルスクリーンの表示領域に全画面表示するように制御することを更に含む、請求項１に記載の画像処理方法。
【請求項１０】
フレキシブルスクリーン端末であって、
フレキシブルスクリーン端末の操作者からの前記フレキシブルスクリーン端末を曲げるための第１入力を受信ための第１受信モジュールと、
前記第１入力に応答して、フレキシブルスクリーン端末の第１表示領域にＮ（正の整数）個の画像を表示し、前記フレキシブルスクリーン端末の第２表示領域に操作制御領域を表示するための第１表示モジュールと、
前記Ｎ個の画像のうちのＭ（正の整数であり、Ｍ≦Ｎ）個のターゲット画像を選択するためのユーザの第２入力を受信するための第２受信モジュールと、
前記第２入力に応答して、前記第２入力で選択されたＭ個のターゲット画像を前記操作制御領域に表示するための第２表示モジュールと、
前記第１表示領域に前記Ｍ個のターゲット画像内のテキスト情報を表示するための第３表示モジュールとを含み、
ここで、前記第１表示領域及び前記第２表示領域は、前記第１入力で形成される第１折れ線によってフレキシブルスクリーン端末の表示領域を分割した２つの領域である、フレキシブルスクリーン端末。
【請求項１１】
前記第２受信モジュールは、更に、前記フレキシブルスクリーン端末を曲げるユーザの第２入力を受信することに用いられ、
前記第２表示モジュールは、
前記第２入力で形成される第２折れ線を取得するための取得サブモジュールと、
前記第２折れ線の所定側のＭ個のターゲット画像を前記操作制御領域に表示するための表示サブモジュールとを含む、請求項１０に記載のフレキシブルスクリーン端末。
【請求項１２】
前記第２表示領域は、前記第１表示領域に表示されるＮ個の画像の位置及び大きさにそれぞれ１対１に対応する位置及び大きさを有するＮ個の空白サブ領域を含み、
前記第２受信モジュールは、更に、前記第２表示領域のＭ個のターゲットサブ領域におけるユーザのＭ回のタッチ操作を受信することに用いられ、
前記第２表示モジュールは、更に、前記第１表示領域に表示されたＮ個の画像のうち、前記Ｍ個のターゲットサブ領域の位置にそれぞれ対応するＭ個のターゲット画像を前記操作制御領域に表示することに用いられる、請求項１０に記載のフレキシブルスクリーン端末。
【請求項１３】
前記第２受信モジュールは、更に、前記第１表示領域のＭ個のターゲット画像に対するユーザのＭ回の制御操作を受信することに用いられ、
ここで、前記制御操作は、ターゲット画像を押圧して前記フレキシブルスクリーン端末の第１表示領域を回転させる回転操作と、ターゲット画像をクリックする操作と、ターゲット画像上でのスライド操作の少なくとも一つを含む、請求項１０に記載のフレキシブルスクリーン端末。
【請求項１４】
前記第２表示モジュールは、更に、前記第２入力で選択されたターゲット画像が前記操作制御領域に移動する移動軌跡を表示することに用いられる、請求項１０に記載のフレキシブルスクリーン端末。
【請求項１５】
ユーザからの前記フレキシブルスクリーンの画面表示モードを調整するための第３入力を受信するための第３受信モジュールと、
前記第３入力に応答して、前記第１表示領域の画面モードをＡＯＤに調整し、前記第２表示領域の画面モードをＯＳＤに維持するための調整モジュールとを更に含む、請求項１０に記載のフレキシブルスクリーン端末。
【請求項１６】
前記第２表示領域に対するユーザの第４入力を受信するための第４受信モジュールを更に含み、
ここで、前記第４入力は、第１所定方向の１本の指のスライド操作又は複数指のスライド操作であり、
前記第３表示モジュールは、更に、前記第４入力に応答して、前記第１表示領域に前記Ｍ個のターゲット画像内のテキスト情報を表示することに用いられる、請求項１０に記載のフレキシブルスクリーン端末。
【請求項１７】
前記第２表示領域に表示された第１ターゲット画像に対するユーザの第５入力を受信するための第５受信モジュールと、
前記第５入力に応答して、前記第２表示領域上の前記第１ターゲット画像の表示を消去するための消去モジュールとを更に含み、
ここで、前記第５入力は、前記第１ターゲット画像に対する第２所定方向へのドラッグ操作である、請求項１０に記載のフレキシブルスクリーン端末。
【請求項１８】
フレキシブルスクリーン端末の操作者からの前記の第１入力を受信する前に、前記フレキシブルスクリーン端末の表示領域に第１データを全画面表示するための第４表示モジュールと、
前記第１表示領域に前記Ｍ個のターゲット画像内のテキスト情報を表示した後に、前記フレキシブルスクリーンが展開状態に復帰した場合に、前記第１入力を受信する前に表示されていた前記第１データを前記フレキシブルスクリーンの表示領域に全画面表示するように制御するための復帰モジュールとを更に含む、請求項１０に記載のフレキシブルスクリーン端末。
【請求項１９】
プロセッサと、メモリと、前記メモリに記憶され、前記プロセッサで動作可能なコンピュータプログラムとを含むフレキシブルスクリーン端末であって、
前記コンピュータプログラムが前記プロセッサによって実行されると、請求項１〜９のいずれか一項に記載の画像処理方法のステップが実現される、フレキシブルスクリーン端末。
【請求項２０】
コンピュータプログラムが記憶されているコンピュータ読み取り可能な記憶媒体であって、
前記コンピュータプログラムがプロセッサによって実行されると、請求項１〜９のいずれか１項に記載の画像処理方法のステップが実現される、コンピュータ読み取り可能な記憶媒体。
【発明の詳細な説明】
【技術分野】
【０００１】
本願は、２０１８年３月１５日に中国特許庁に提出された中国特許出願２０１８１０２１４２５６．０の優先権を主張し、その全ての内容が援用によりここに取り込まれる。
本開示の実施例は、通信技術分野に係り、特に画像処理方法及びフレキシブルスクリーン端末に係る。
【背景技術】
【０００２】
フレキシブルスクリーン端末の著しい発展に伴い、フレキシブルスクリーン端末は、様々な機能を有しており、その中でも、フレキシブルスクリーン端末の撮影機能は、日常生活において最も使用頻度の高い機能となっている。ユーザは、様々なシーンで、そのシーンを撮影により画像として記録することができる。例えば、授業時や講座に参加する時に、ユーザは、フレキシブルスクリーン端末でプレゼンテーション資料ＰＰＴ（ＰｏｗｅｒＰｏｉｎｔ）や黒板の板書を撮影して対応する情報を記録し、空き時間を利用して撮影した画像を処理する。
【０００３】
従来技術では、ユーザが文字情報に関連する複数枚の画像を一括して処理する場合、例えば、１回の講座で撮影したＰＰＴ画像を全て一括してテキスト情報に変換する場合、各画像内の文字情報を個々に認識し、一連の複雑な操作で最終的に画像内の内容をテキスト情報に変換して蓄積する。このように、従来技術では、画像の内容をテキスト情報に変換する際の操作手順が煩雑であるという問題があった。
【発明の概要】
【発明が解決しようとする課題】
【０００４】
本発明の実施例は、従来技術では画像の内容をテキスト情報に変換する際の操作手順が煩雑であるという問題を解決するために、画像処理方法及びフレキシブルスクリーン端末を提供する。
【課題を解決するための手段】
【０００５】
第１方面において、本開示の実施例は、画像処理方法を提供し、フレキシブルスクリーン端末の操作者からの前記フレキシブルスクリーン端末を曲げるための第１入力を受信ことと、前記第１入力に応答して、フレキシブルスクリーン端末の第１表示領域にＮ（正の整数）個の画像を表示し、前記フレキシブルスクリーン端末の第２表示領域に操作制御領域を表示することと、前記Ｎ個の画像のうちのＭ（正の整数であり、Ｍ≦Ｎ）個のターゲット画像を選択するためのユーザの第２入力を受信することと、前記第２入力に応答して、前記第２入力で選択されたＭ個のターゲット画像を前記操作制御領域に表示することと、前記第１表示領域に前記Ｍ個のターゲット画像内のテキスト情報を表示することとを含み、ここで、前記第１表示領域及び前記第２表示領域は、前記第１入力で形成される第１折れ線によってフレキシブルスクリーン端末の表示領域を分割した２つの領域である。
【０００６】
第２方面において、本開示の実施例は、フレキシブルスクリーン端末を更に提供し、フレキシブルスクリーン端末の操作者からの前記フレキシブルスクリーン端末を曲げるための第１入力を受信ための第１受信モジュールと、前記第１入力に応答して、フレキシブルスクリーン端末の第１表示領域にＮ（正の整数）個の画像を表示し、前記フレキシブルスクリーン端末の第２表示領域に操作制御領域を表示するための第１表示モジュールと、前記Ｎ個の画像のうちのＭ（正の整数であり、Ｍ≦Ｎ）個のターゲット画像を選択するためのユーザの第２入力を受信するための第２受信モジュールと、前記第２入力に応答して、前記第２入力で選択されたＭ個のターゲット画像を前記操作制御領域に表示するための第２表示モジュールと、前記第１表示領域に前記Ｍ個のターゲット画像内のテキスト情報を表示するための第３表示モジュールとを含み、ここで、前記第１表示領域及び前記第２表示領域は、前記第１入力で形成される第１折れ線によってフレキシブルスクリーン端末の表示領域を分割した２つの領域である。
【０００７】
第３方面において、本開示の実施例は、プロセッサと、メモリと、前記メモリに記憶され、前記プロセッサで動作可能なコンピュータプログラムとを含むフレキシブルスクリーン端末を更に提供し、前記コンピュータプログラムが前記プロセッサによって実行されると、上記の画像処理方法のステップが実現される。
【０００８】
第４方面において、本開示の実施例は、コンピュータプログラムが記憶されているコンピュータ読み取り可能な記憶媒体を更に提供し、前記コンピュータプログラムがプロセッサによって実行されると、上記画像処理方法のステップが実現される。
発明の効果
【０００９】
本開示の実施例において、フレキシブルスクリーン端末の操作者からの前記フレキシブルスクリーン端末を曲げるための第１入力を受信し、前記第１入力に応答して、フレキシブルスクリーン端末の第１表示領域にＮ個の画像を表示し、前記フレキシブルスクリーン端末の第２表示領域に操作制御領域を表示し、前記Ｎ個の画像のうちのＭ個のターゲット画像を選択するためのユーザの第２入力を受信し、前記第２入力に応答して、前記第２入力で選択されたＭ個のターゲット画像を前記操作制御領域に表示し、前記第１表示領域に前記Ｍ個のターゲット画像内のテキスト情報を表示する。このように、フレキシブルスクリーン端末を簡単に操作するだけで、選択した画像の内容をテキスト情報に変換することができ、画像の内容をテキスト情報に変換する操作手順を簡単化し、ユーザが画像を処理する時間を大幅に短縮する。
【図面の簡単な説明】
【００１０】
【図１】本開示の実施例による画像処理方法のフローチャートその１である。
【図２】本開示の実施例によるフレキシブルスクリーン端末の画面を示す図その１である。
【図３】本開示の実施例によるフレキシブルスクリーン端末の画面状態変化を示す図その１である。
【図４】本開示の実施例によるフレキシブルスクリーン端末の画面を示す図その２である。
【図５】本開示の実施例によるフレキシブルスクリーン端末の画面状態変化を示す図その２である。
【図６】本開示の実施例による画像処理方法のフローチャートその２である。
【図７】本開示の実施例によるフレキシブルスクリーン端末の画面状態変化を示す図その３である。
【図８】本開示の実施例によるフレキシブルスクリーン端末の画面を示す図その３である。
【図９】本開示の実施例によるフレキシブルスクリーン端末の画面状態変化を示す図その４である。
【図１０】本開示の実施例によるフレキシブルスクリーン端末の画面を示す図その４である。
【図１１】本開示の実施例によるフレキシブルスクリーン端末の画面状態変化を示す図その５である。
【図１２】本開示の実施例によるフレキシブルスクリーン端末の構造図その１である。
【図１３】本開示の実施例によるフレキシブルスクリーン端末の構造図その２である。
【発明を実施するための形態】
【００１１】
以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をせずに為しえる全ての他の実施例は、本開示の保護範囲に属するものである。
【００１２】
図１を参照する。図１は、本発明の実施例による画像処理方法のフローチャートである。前記画像処理方法は、フレキシブルスクリーン端末に応用可能であり、図１に示すように、以下のステップを含む。
【００１３】
ステップ１０１において、フレキシブルスクリーン端末の操作者の第１入力を受信する。
【００１４】
本開示の実施例において、前記第１入力は、前記フレキシブルスクリーン端末を曲げるためのものである。具体的には、前記第１入力は、曲げ操作である。
【００１５】
このステップ１０１の前に、フレキシブルスクリーン端末の操作者は、フレキシブルスクリーン端末に対しロック解除操作をすることでアルバムビュー機能を起動し、フレキシブルスクリーン端末のフレキシブルスクリーンに画像を閲覧するインタフェースを表示する。ユーザは、スライド操作によって、インタフェースに表示された閲覧画像を調整することができる。
【００１６】
図２を参照する。図２は、本開示の実施例によるフレキシブルスクリーン端末の画面を示す図その１である。図２に示すフレキシブルスクリーン端末２００の画面には、プレビュー画像インタフェースが表示されている。操作者は、プレビュー画像インタフェースでタッチ操作を行うことにより、プレビュー画像インタフェース上のプレビュー画像位置を調整することができる。プレビュー画像インタフェースに表示されるプレビュー画像は、カメラで撮影された風景画像、人物画像、及び、文字内容を含む画像を含む。
【００１７】
ステップ１０２において、前記第１入力に応答して、フレキシブルスクリーン端末の第１表示領域にＮ個の画像を表示し、前記フレキシブルスクリーン端末の第２表示領域に操作制御領域を表示する。
【００１８】
本開示の実施例において、前記第１表示領域及び前記第２表示領域は、前記第１入力で形成される第１折れ線によってフレキシブルスクリーン端末の表示領域を分割した２つの領域である。第１入力によって前記フレキシブルスクリーン端末を曲げる過程は、図３を参照する。図３は、本開示の実施例によるフレキシブルスクリーン端末の画面状態変化を示す図その１である。図３では、第１画面状態３０１と第２画面状態３０３とを含む。具体的には、前記第１画面状態３０１は、前記第１入力によって前記フレキシブルスクリーン端末を曲げるときの画面状態であり、第２画面状態３０２は、前記第１入力によって前記フレキシブルスクリーン端末を曲げた後、フレキシブルスクリーン端末を２つの画面表示領域に分割した状態である。具体的には、第２画面状態３０２におけるフレキシブルスクリーン端末の表示領域は、プレビュー画像が表示される第１表示領域３０２１と、操作制御領域が表示される第２表示領域３０２２とに分割される。
【００１９】
ステップ１０３において、ユーザの第２入力を受信する。
【００２０】
本開示の実施例において、前記第２入力は、前記Ｎ個の画像のうちのＭ個のターゲット画像を選択するためのものである。Ｍ、Ｎは、共に正の整数であり、且つＭ≦Ｎ。前記第２入力は、シングルクリック操作、ダブルクリック操作、及びスライド操作を含む。
【００２１】
再び図３を参照する。フレキシブルスクリーン端末のフレキシブルスクリーンが図３の第２画面状態３０２にある場合、ユーザは、第１表示領域３０２１に表示されたＭ個の画像を指先でクリックし、クリック操作によって第１表示領域３０２１で選択されたＭ個の画像をＭ個のターゲット画像とする。ユーザは、第１表示領域３０２１に表示されたＭ個の画像に指を横から重ね、指がタッチしたＭ個の画像をＭ個のターゲット画像としてもよい。
【００２２】
ステップ１０４において、前記第２入力に応答して、前記第２入力で選択されたＭ個のターゲット画像を前記操作制御領域に表示する。
【００２３】
本発明の実施例におけるＭ個のターゲット画像は、１つのターゲット画像であってもよいし、少なくとも２つのターゲット画像であってもよい。図４を参照する。図４は、本開示の実施例によるフレキシブルスクリーン端末の画面を示す図その２である。図４に示すフレキシブルスクリーン端末の画面は、第１表示領域４０２１及び第２表示領域４０２２を含む。第２入力を受信した後、第２入力に応答して、ターゲット画像４０１を第２表示領域４０２２に表示する。ここで、ターゲット画像４０１の文字内容は、「ＯＳＩ７層モデルに含まれるのは」である。
【００２４】
ステップ１０５において、前記第１表示領域に前記Ｍ個のターゲット画像内のテキスト情報を表示する。
【００２５】
本開示の実施例において、このステップ１０５は、所定のトリガー操作を受信した場合に、前記Ｍ個のターゲット画像内のテキスト情報を認識し、認識したテキスト情報を前記第１表示領域に表示するステップを含んでもよい。
【００２６】
図５を参照する。図５は、本開示の実施例によるフレキシブルスクリーン端末の画面状態変化を示す図その２である。図５に示すフレキシブルスクリーン端末の画面は、第３画面状態５０１と、第４画面状態５０２とを含む。画面が第３画面状態５０１にある場合、第１表示領域５０１１に表示されたプレビュー画像から３つのターゲット画像５０３が選択され、３つのターゲット画像５０３が第２表示領域５０１２に表示されることを示す。画面が第３画面状態５０１にある場合、所定のトリガー操作を受信すると、画面が第４画面状態５０２に遷移し、すなわち、第２表示領域５０１２に表示された３つのターゲット画像５０３のテキスト情報を認識し、認識したテキスト情報を第１表示領域５０１１に表示する。本実施例において、第１表示領域５０１１にテキスト情報を表示した後、更に第１表示領域５０１１におけるテキスト情報に対し編集や修正を行うこともできる。具体的には、第１表示領域５０１１には、「ＯＳＩ７層モデルに含まれるのは、物理層、データリンク層、ネットワーク層、トランスポート層、セッション層、表示層、アプリケーション層である。」とのテキスト情報が表示される。
【００２７】
本発明の実施例において、上記フレキシブルスクリーン端末は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、ＰＤＡ（Ｐｅｒｓｏｎａｌ  Ｄｉｇｉｔａｌ  Ａｓｓｉｓｔａｎｔ）、モバイルネットワーク装置ＭＩＤ（Ｍｏｂｉｌｅ  Ｉｎｔｅｒｎｅｔ  Ｄｅｖｉｃｅ）、ウェアラブル機器（Ｗｅａｒａｂｌｅ  Ｄｅｖｉｃｅ  ）などのような、任意の２カメラを含むフレキシブルスクリーン端末である。
【００２８】
本開示の実施例の画像処理方法において、フレキシブルスクリーン端末の操作者からの前記フレキシブルスクリーン端末を曲げるための第１入力を受信し、前記第１入力に応答して、フレキシブルスクリーン端末の第１表示領域にＮ個の画像を表示し、前記フレキシブルスクリーン端末の第２表示領域に操作制御領域を表示し、前記Ｎ個の画像のうちのＭ個のターゲット画像を選択するためのユーザの第２入力を受信し、前記第２入力に応答して、前記第２入力で選択されたＭ個のターゲット画像を前記操作制御領域に表示し、前記第１表示領域に前記Ｍ個のターゲット画像内のテキスト情報を表示する。このように、フレキシブルスクリーン端末を簡単に操作するだけで、選択した画像の内容をテキスト情報に変換することができ、画像の内容をテキスト情報に変換する操作手順を簡単化し、ユーザが画像を処理する時間を大幅に短縮する。
【００２９】
図６を参照する。図６は、本発明の実施例による画像処理方法のフローチャートである。前記画像処理方法は、フレキシブルスクリーン端末に応用可能である。図６に示すように、以下のステップを含む。
【００３０】
ステップ６０１において、フレキシブルスクリーン端末の操作者の第１入力を受信する。
【００３１】
このステップの実現手順及び利点は、ステップ１０１の記載を参照してもよく、ここではその説明が省略される。
【００３２】
ステップ６０２において、前記第１入力に応答して、フレキシブルスクリーン端末の第１表示領域にＮ個の画像を表示し、前記フレキシブルスクリーン端末の第２表示領域に操作制御領域を表示する。
【００３３】
このステップの実現手順及び利点は、ステップ１０１の記載を参照してもよく、ここではその説明が省略される。
【００３４】
ステップ６０３において、前記フレキシブルスクリーン端末を曲げるユーザの第２入力を受信する。
【００３５】
例えば、前記フレキシブルスクリーン端末の第１表示領域を曲げるユーザの第２入力を受信し、前記第２入力で生成された折れ線によって、第１表示領域を２つの部分に分割することができる。
【００３６】
ステップ６０４において、前記第２入力によって形成された第２折れ線を取得する。
【００３７】
本開示の実施例において、第２入力によって変形した少なくとも２つの変形点で決定される直線を前記第２折れ線とする。
【００３８】
ステップ６０５において、前記第２折れ線の所定側のＭ個のターゲット画像を前記操作制御領域に表示する。
【００３９】
本開示の実施例において、所定側は、第２折れ線の上側又は下側とする。例えば、Ｍ個のターゲット画像は、第２折れ線の上側の画像であってもよく、第２折れ線の下側の画像であってもよい。
【００４０】
このように、フレキシブルスクリーン端末を曲げることによって生成された第２折れ線により、Ｍ個のターゲット画像を選択して操作制御領域に表示することができ、Ｍ個のターゲット画像の選択手順を簡単化し、ターゲット画像の選択効率を向上させる。
【００４１】
ステップ６０６において、前記Ｍ個のターゲット画像内のテキスト情報を前記第１表示領域に表示する。
【００４２】
このステップの実現手順及び利点は、ステップ１０５の記載を参照してもよく、ここではその説明が省略される。
【００４３】
選択可能に、図１に示す実施例では、前記第２表示領域は、前記第１表示領域に表示されるＮ個の画像の位置及び大きさにそれぞれ１対１に対応する位置及び大きさを有するＮ個の空白サブ領域を含む。
【００４４】
図１に示すステップ１０３は、前記第２表示領域のＭ個のターゲットサブ領域におけるユーザのＭ回のタッチ操作を受信するステップを更に含んでもよい。図１に示すステップ１０４は、前記第１表示領域に表示されたＮ個の画像のうち、前記Ｍ個のターゲットサブ領域の位置にそれぞれ対応するＭ個のターゲット画像を前記操作制御領域に表示するステップを更に含んでもよい。
【００４５】
このように、空白サブ領域に対してＭ回のタッチ操作を行うことにより、Ｍ個のターゲット画像を選択して操作制御領域に表示させることができ、Ｍ個のターゲット画像の表示手順を簡単化して、目標対象の表示効率を向上させる。
【００４６】
具体的には、図７を参照する。図７は、本開示の実施例によるフレキシブルスクリーン端末の画面状態変化を示す図その３である。図７には、第５画面状態７０１と第６画面状態７０２が含まれている。具体的に、前記第５画面状態７０１は、フレキシブルスクリーン端末の操作者がフレキシブルスクリーン端末に対し曲げ操作をする時に対応する画面状態であり、第６画面状態７０２は、曲げ操作後、フレキシブルスクリーン端末を２つの画面表示領域に分割した状態である。具体的には、第６画面状態７０２であるとき、フレキシブルスクリーン端末の表示領域は、Ｎ個の画像が表示される第１表示領域７０２１及び前記第１表示領域に表示されるＮ個の画像の位置及び大きさにそれぞれ１対１に対応する位置及び大きさを有するＮ個の空白サブ領域が表示される第２表示領域７０２２に分割される。フレキシブルスクリーン端末は、前記第２表示領域７０２２のＭ個のターゲットサブ領域におけるユーザのＭ回のタッチ操作を受信し、第１表示領域７０２１に表示されたＮ個の画像のうち、前記Ｍ個のターゲットサブ領域の位置にそれぞれ対応するＭ個のターゲット画像を前記操作制御領域に表示する。
【００４７】
例えば、図８を参照する。図８は、本開示の実施例によるフレキシブルスクリーン端末の画面を示す図その３である。図８に示すように、フレキシブルスクリーン端末の表示領域は、３行４列のプレビュー画像が表示される第１表示領域８０１と、３行４列のプレビュー画像の存在位置及び大きさに１対１で対応する３行４列の空白サブ領域が表示される第２表示領域８０２とを含む。図８に示すように、第２表示領域８０２の２行４列の空枠にタッチ操作が検出されると、２行４列の空白サブ領域の位置に対応する２行４列の画像をターゲット画像８０３とする。図８において、ターゲット画像８０３の具体的な文字内容は、「ネットワーク層」を含む。
【００４８】
選択可能に、図１に示すステップ１０３は、前記第１表示領域のＭ個のターゲット画像に対するユーザのＭ回の制御操作を受信するステップを更に含んでもよい。ここで、前記制御操作は、ターゲット画像を押圧して前記フレキシブルスクリーン端末の第１表示領域を回転させる回転操作と、ターゲット画像をクリックする操作と、ターゲット画像上でのスライド操作の少なくとも一つを含む。
【００４９】
このように、複数のタッチ操作により第１表示領域から複数のターゲット画像を選択することができ、ユーザによるターゲット画像の選択を迅速に行わせやすくなり、操作効率が向上する。
【００５０】
選択可能に、図１に示すステップ１０４は、前記第２入力で選択されたターゲット画像が前記操作制御領域に移動する移動軌跡を表示するステップを更に含んでもよい。
【００５１】
例えば、図４を再び参照すると、第２入力でターゲット画像４０１が選択された場合、ターゲット画像４０１が第２表示領域４０２２の操作制御領域に移動する移動軌跡を表示する。
【００５２】
これにより、ターゲット画像の動的な移動効果を高めることができ、ユーザの操作体験を向上させることができる。
【００５３】
選択可能に、図１に示すステップ１０５の後に、前記方法は、ユーザからの前記フレキシブルスクリーンの画面表示モードを調整するための第３入力を受信するステップと、前記第３入力に応答して、前記第１表示領域の画面モードをＡＯＤ（Ａｌｗａｙｓ  Ｏｎ  Ｄｉｓｐｌａｙ）に調整し、前記第２表示領域の画面モードをＯＳＤ（Ｏｎ  Ｓｃｒｅｅｎ  Ｄｉｓｐｌａｙ）に維持するステップとを更に含んでもよい。
【００５４】
本開示の実施例において、前記第３入力は、クリック操作、スライド操作などを含む。
【００５５】
図９を参照する。図９は、本発明の実施例によるフレキシブルスクリーン端末の画面状態変化を示す図その４である。第３入力が検出される前に、フレキシブルスクリーン端末の画面は、第７画面状態９０１にある。この場合、フレキシブルスクリーン端末の画面の第１表示領域９０１１及び第２表示領域９０１２は、共にＯＳＤである。第３入力が検出されると、フレキシブルスクリーン端末の画面は、第８画面状態９０２に遷移する。すなわち、第１表示領域９０２１の画面モードは、ＡＯＤに調整され、第２表示領域９０１２の画面モードは、ＯＳＤに維持する。
【００５６】
このように、第１表示領域をＡＯＤに調整することにより、電力損失を低減し、フレキシブルスクリーン端末の航続能力を向上させることができ、第２表示領域をＯＳＤに維持することにより、操作者は、第２表示領域を通じてターゲット画像を長時間見ることができるので、第２表示領域がＡＯＤに突然に遷移することによって、操作者によるターゲット画像の視認の中断を回避することができ、ターゲット画像の視認におけるユーザの満足度を向上させることができる。
【００５７】
選択可能に、図１に示すステップ１０５の後に、前記方法は、前記第２表示領域に対するユーザの第４入力を受信するステップを更に含んでもよい。ここで、前記第４入力は、第１所定方向の１本の指のスライド操作又は複数指のスライド操作である。図１に示すステップ１０５は、前記第４入力に応答して、前記第１表示領域に前記Ｍ個のターゲット画像内のテキスト情報を表示するステップを更に含んでもよい。
【００５８】
例えば、図５を再び参照すると、画面が第３画面状態５０１にある場合、ユーザの両手の指が第２表示領域５０１２の左右両側縁をそれぞれ押し上げてスライドすることを受信すると、画面は、第４画面状態５０２に遷移する。すなわち、第２表示領域５０１２に表示されている３つのターゲット画像５０３のテキスト情報を認識し、認識したテキスト情報を第１表示領域５０１１に表示する。第１表示領域５０１１には、「ＯＳＩ７層モデルに含まれるのは、物理層、データリンク層、ネットワーク層、トランスポート層、セッション層、表示層、アプリケーション層である」とのテキスト情報が表示される。
【００５９】
これにより、移動端末は、第４入力を検出した後にターゲット画像内のテキスト情報を表示することができる。ユーザがテキスト情報を表示する時間を柔軟に選択することができ、ユーザの自主的な選択要件を満たすことができる。
【００６０】
選択可能に、前記方法は、図１に示すステップ１０４の後に、前記第２表示領域に表示された第１ターゲット画像に対するユーザの第５入力を受信するステップと、前記第５入力に応答して、前記第２表示領域上の前記第１ターゲット画像の表示を消去するステップとを更に含んでもよい。ここで、前記第５入力は、前記第１ターゲット画像に対する第２所定方向へのドラッグ操作である。
【００６１】
図１０を参照する。図１０は、本開示の実施例によるフレキシブルスクリーン端末の画面を示す図その４である。図１０に示すフレキシブルスクリーン端末の表示領域は、第１表示領域１００１と、第２表示領域１０２とを含む。第２表示領域には複数のターゲット画像１００３が表示され、所定の第２所定方向へのドラッグ操作１００４に基づいて、複数のターゲット画像１００３のうち少なくとも１つのターゲット画像を削除する。例えば、第２所定方向へのドラッグ操作１００４は、斜め上方向へのドラッグ操作及び斜め下方向へのドラッグ操作を含む。
【００６２】
これにより、前記第２表示領域における第１ターゲット画像の表示を、第２所定方向へのドラッグ操作により消去することができ、第２表示領域におけるターゲット画像の消去速度を向上させて、ユーザによる第２表示領域のターゲット画像の管理を容易にすることができる。
【００６３】
選択可能に、前記方法は、図１に示すステップ１０１の前に、前記フレキシブルスクリーン端末の表示領域に第１データを全画面表示するステップを更に含んでもよい。図１に示すステップ１０５の後に、前記方法は、前記フレキシブルスクリーンが展開状態に復帰した場合に、前記第１入力を受信する前に表示されていた前記第１データを前記フレキシブルスクリーンの表示領域に全画面表示するように制御するステップを更に含んでもよい。
【００６４】
再び図２を参照すると、ステップ１０１の前に、フレキシブルスクリーン端末２００の画面には、アルバムプログラムのプレビュー画像インタフェースである第１データが全画面表示されている。
【００６５】
図１１は、本開示の実施例によるフレキシブルスクリーン端末の画面状態変化を示す図その５である。フレキシブルスクリーン端末の画面は、フレキシブルスクリーンが展開状態に復帰する前に、第９画面状態１１０１にある。この場合、フレキシブルスクリーン端末の画面は、第１表示領域１１０１１及び第２表示領域１１０１２を含む。フレキシブルスクリーンが展開状態に復帰した場合、フレキシブルスクリーン端末２００の画面に第１データを全画面表示するように制御し、即ち、フレキシブルスクリーン端末２００の画面にプレビュー画像インタフェースを全画面表示するように制御する。
【００６６】
これにより、操作者は、フレキシブルスクリーンを展開状態に復帰することにより、フレキシブルスクリーンを第１入力前の画面状態に復帰することができ、簡単な操作手順で操作者が所望する画面状態に復帰することができ、操作効率が向上する。
【００６７】
本開示の実施例の画像処理方法において、フレキシブルスクリーン端末の操作者からの前記フレキシブルスクリーン端末を曲げるための第１入力を受信し、前記第１入力に応答して、フレキシブルスクリーン端末の第１表示領域にＮ個の画像を表示し、前記フレキシブルスクリーン端末の第２表示領域に操作制御領域を表示し、前記フレキシブルスクリーン端末を曲げるユーザの第２入力を受信し、前記第２入力によって形成された第２折れ線を取得し、前記第２折れ線の所定側のＭ個のターゲット画像を前記操作制御領域に表示し、前記Ｍ個のターゲット画像のテキスト情報を前記第１表示領域に表示する。このように、フレキシブルスクリーン端末を簡単に操作するだけで、選択した画像の内容をテキスト情報に変換することができ、画像の内容をテキスト情報に変換する操作手順を簡単化し、ユーザが画像を処理する時間を大幅に短縮する。
【００６８】
図１２を参照する。図１２は、本開示の実施例によるフレキシブルスクリーン端末の構造図である。図１２に示すように、フレキシブルスクリーン端末１２００は、第１受信モジュール１２０１と、第１表示モジュール１２０２と、第２受信モジュール１２０３と、第２表示モジュール１２０４と、第３表示モジュール１２０５とを含む。第１受信モジュール１２０１は、第１表示モジュール１２０２に接続される。第１表示モジュール１２０２は、更に第２受信モジュール１２０３に接続される。第２受信モジュール１２０３は、更に第２表示モジュール１２０４に接続される。第２表示モジュール１２０４は、更に第３表示モジュール１２０５に接続される。ここで、第１受信モジュール１２０１は、フレキシブルスクリーン端末の操作者からの前記フレキシブルスクリーン端末を曲げるための第１入力を受信ことに用いられる。第１表示モジュール１２０２は、前記第１入力に応答して、フレキシブルスクリーン端末の第１表示領域にＮ（正の整数）個の画像を表示し、前記フレキシブルスクリーン端末の第２表示領域に操作制御領域を表示することに用いられる。第２受信モジュール１２０３は、前記Ｎ個の画像のうちのＭ（正の整数であり、Ｍ≦Ｎ）個のターゲット画像を選択するためのユーザの第２入力を受信することに用いられる。第２表示モジュール１２０４は、前記第２入力に応答して、前記第２入力で選択されたＭ個のターゲット画像を前記操作制御領域に表示することに用いられる。第３表示モジュール１２０５は、前記第１表示領域に前記Ｍ個のターゲット画像内のテキスト情報を表示することに用いられる。ここで、前記第１表示領域及び前記第２表示領域は、前記第１入力で形成される第１折れ線によってフレキシブルスクリーン端末の表示領域を分割した２つの領域である。
【００６９】
選択可能に、前記第２受信モジュール１２０３は、更に、前記フレキシブルスクリーン端末を曲げるユーザの第２入力を受信することに用いられる。前記第２表示モジュール１２０４は、前記第２入力で形成される第２折れ線を取得するための取得サブモジュールと、前記第２折れ線の所定側のＭ個のターゲット画像を前記操作制御領域に表示するための表示サブモジュールとを含む。
【００７０】
選択可能に、前記第２表示領域は、前記第１表示領域に表示されるＮ個の画像の位置及び大きさにそれぞれ１対１に対応する位置及び大きさを有するＮ個の空白サブ領域を含む。前記第２受信モジュール１２０３は、更に、前記第２表示領域のＭ個のターゲットサブ領域におけるユーザのＭ回のタッチ操作を受信することに用いられる。前記第２表示モジュール１２０４は、更に、前記第１表示領域に表示されたＮ個の画像のうち、前記Ｍ個のターゲットサブ領域の位置にそれぞれ対応するＭ個のターゲット画像を前記操作制御領域に表示することに用いられる。
【００７１】
選択可能に、前記第２受信モジュール１２０３は、更に、前記第１表示領域のＭ個のターゲット画像に対するユーザのＭ回の制御操作を受信することに用いられる。ここで、前記制御操作は、ターゲット画像を押圧して前記フレキシブルスクリーン端末の第１表示領域を回転させる回転操作と、ターゲット画像をクリックする操作と、ターゲット画像上でのスライド操作の少なくとも一つを含む。
【００７２】
選択可能に、前記第２表示モジュール１２０４は、更に、前記第２入力で選択されたターゲット画像が前記操作制御領域に移動する移動軌跡を表示することに用いられる。
【００７３】
選択可能に、前記フレキシブルスクリーン端末１２００は、ユーザからの前記フレキシブルスクリーンの画面表示モードを調整するための第３入力を受信するための第３受信モジュールと、前記第３入力に応答して、前記第１表示領域の画面モードをＡＯＤに調整し、前記第２表示領域の画面モードをＯＳＤに維持するための調整モジュールとを更に含む。
【００７４】
選択可能に、前記フレキシブルスクリーン端末１２００は、前記第２表示領域に対するユーザの第４入力を受信するための第４受信モジュールを更に含む。ここで、前記第４入力は、第１所定方向の１本の指のスライド操作又は複数指のスライド操作である。前記第３表示モジュールは、更に、前記第４入力に応答して、前記第１表示領域に前記Ｍ個のターゲット画像内のテキスト情報を表示することに用いられる。
【００７５】
選択可能に、前記フレキシブルスクリーン端末１２００は、前記第２表示領域に表示された第１ターゲット画像に対するユーザの第５入力を受信するための第５受信モジュールと、前記第５入力に応答して、前記第２表示領域上の前記第１ターゲット画像の表示を消去するための消去モジュールとを更に含む。ここで、前記第５入力は、前記第１ターゲット画像に対する第２所定方向へのドラッグ操作である。
【００７６】
選択可能に、前記フレキシブルスクリーン端末１２００は、フレキシブルスクリーン端末の操作者からの前記の第１入力を受信する前に、前記フレキシブルスクリーン端末の表示領域に第１データを全画面表示するための第４表示モジュールと、前記第１表示領域に前記Ｍ個のターゲット画像内のテキスト情報を表示した後に、前記フレキシブルスクリーンが展開状態に復帰した場合に、前記第１入力を受信する前に表示されていた前記第１データを前記フレキシブルスクリーンの表示領域に全画面表示するように制御するための復帰モジュールとを更に含む。
【００７７】
フレキシブルスクリーン端末１２００は、図１、図６の方法実施例でフレキシブルスクリーン端末によって実現される各プロセスを実現可能であり、重複を避けるために、ここでは繰り返して記載しない。
【００７８】
本開示の実施例によるフレキシブルスクリーン端末１２００は、フレキシブルスクリーン端末を簡単に操作するだけで、選択した画像の内容をテキスト情報に変換することができ、画像の内容をテキスト情報に変換する操作手順を簡単化し、ユーザが画像を処理する時間を大幅に短縮する。
【００７９】
図１３は、本開示の各実施例を実現するハードウェア構造図である。このフレキシブルスクリーン端末１３００は、ラジオ周波数ユニット１３０１と、ネットワークモジュール１３０２と、オーディオ出力ユニット１３０３と、入力ユニット１３０４と、センサ１３０５と、表示ユニット１３０６と、ユーザ入力ユニット１３０７と、インタフェースユニット１３０８と、メモリ１３０９と、プロセッサ１３１０と、電源１３１１などの構成要素を含むが、これらに限定されない。図１３に示されるフレキシブルスクリーン端末の構造は、フレキシブルスクリーン端末を限定するものではなく、フレキシブルスクリーン端末は、図示されるよりも多い又は少ない構成要素を含むことができ、又は特定の構成要素を組み合わせることができ、又は異なる構成要素の配置を含むことができることを、当業者は理解可能である。本開示の実施例において、フレキシブルスクリーン端末は、携帯電話、タブレットパソコン、ノートパソコン、パームトップパソコン、車載端末、ウェアラブルデバイス及び歩数計などを含むが、それらに限定されない。
【００８０】
ここでプロセッサ１３１０は、前記フレキシブルスクリーン端末の操作者からのフレキシブルスクリーン端末を曲げるための第１入力を受信ことと、前記第１入力に応答して、フレキシブルスクリーン端末の第１表示領域にＮ（正の整数）個の画像を表示し、前記フレキシブルスクリーン端末の第２表示領域に操作制御領域を表示することと、前記Ｎ個の画像のうちのＭ（正の整数であり、Ｍ≦Ｎ）個のターゲット画像を選択するためのユーザの第２入力を受信することと、前記第２入力に応答して、前記第２入力で選択されたＭ個のターゲット画像を前記操作制御領域に表示することと、前記第１表示領域に前記Ｍ個のターゲット画像内のテキスト情報を表示することとに用いられ、ここで、前記第１表示領域及び前記第２表示領域は、前記第１入力で形成される第１折れ線によってフレキシブルスクリーン端末の表示領域を分割した２つの領域である。
【００８１】
選択可能に、前記プロセッサ１３１０によって実行される前記のユーザの第２入力を受信することは、前記フレキシブルスクリーン端末を曲げるユーザの第２入力を受信することを含む。前記プロセッサ１３１０によって実行される前記の前記第２入力に応答して、前記第２入力で選択されたＭ個のターゲット画像を前記操作制御領域に表示することは、前記第２入力で形成される第２折れ線を取得することと、前記第２折れ線の所定側のＭ個のターゲット画像を前記操作制御領域に表示することとを含む。
【００８２】
選択可能に、前記第２表示領域は、前記第１表示領域に表示されるＮ個の画像の位置及び大きさにそれぞれ１対１に対応する位置及び大きさを有するＮ個の空白サブ領域を含む。前記プロセッサ１３１０によって実行される前記のユーザの第２入力を受信することは、前記第２表示領域のＭ個のターゲットサブ領域におけるユーザのＭ回のタッチ操作を受信することを含む。前記プロセッサ１３１０によって実行される前記の前記第２入力に応答して、前記第２入力で選択されたＭ個のターゲット画像を前記操作制御領域に表示することは、前記第１表示領域に表示されたＮ個の画像のうち、前記Ｍ個のターゲットサブ領域の位置にそれぞれ対応するＭ個のターゲット画像を前記操作制御領域に表示することを含む。
【００８３】
選択可能に、前記プロセッサ１３１０によって実行される前記のユーザの第２入力を受信することは、前記第１表示領域のＭ個のターゲット画像に対するユーザのＭ回の制御操作を受信することを含む。ここで、前記制御操作は、ターゲット画像を押圧して前記フレキシブルスクリーン端末の第１表示領域を回転させる回転操作と、ターゲット画像をクリックする操作と、ターゲット画像上でのスライド操作の少なくとも一つを含む。
【００８４】
選択可能に、前記プロセッサ１３１０によって実行される前記第２入力で選択されたＭ個のターゲット画像を前記操作制御領域に表示することは、前記第２入力で選択されたターゲット画像が前記操作制御領域に移動する移動軌跡を表示することを含む。
【００８５】
選択可能に、前記プロセッサ１３１０は、更に、ユーザからの前記フレキシブルスクリーンの画面表示モードを調整するための第３入力を受信することと、前記第３入力に応答して、前記第１表示領域の画面モードをＡＯＤに調整し、前記第２表示領域の画面モードをＯＳＤに維持することとに用いられる。
【００８６】
選択可能に、前記プロセッサ１３１０は、更に、前記第２表示領域に対するユーザの第４入力を受信することに用いられる。ここで、前記第４入力は、第１所定方向の１本の指のスライド操作又は複数指のスライド操作である。前記プロセッサ１３１０によって実行される前記の前記第１表示領域に前記Ｍ個のターゲット画像内のテキスト情報を表示することは、前記第４入力に応答して、前記第１表示領域に前記Ｍ個のターゲット画像内のテキスト情報を表示することを含む。
【００８７】
選択可能に、前記プロセッサ１３１０は、更に、前記第２表示領域に表示された第１ターゲット画像に対するユーザの第５入力を受信することと、前記第５入力に応答して、前記第２表示領域上の前記第１ターゲット画像の表示を消去することとに用いられる。ここで、前記第５入力は、前記第１ターゲット画像に対する第２所定方向へのドラッグ操作である。
【００８８】
選択可能に、前記プロセッサ１３１０は、更に、前記フレキシブルスクリーン端末の表示領域に第１データを全画面表示することと、前記フレキシブルスクリーンが展開状態に復帰した場合に、前記第１入力を受信する前に表示されていた前記第１データを前記フレキシブルスクリーンの表示領域に全画面表示するように制御することと用いられる。
【００８９】
フレキシブルスクリーン端末１３００は、前記実施例でフレキシブルスクリーン端末によって実現されるプロセスを実現可能であり、重複を避けるために、ここでは繰り返して記載しない。
【００９０】
本開示の実施例によるフレキシブルスクリーン端末１３００は、フレキシブルスクリーン端末を簡単に操作するだけで、選択した画像の内容をテキスト情報に変換することができ、画像の内容をテキスト情報に変換する操作手順を簡単化し、ユーザが画像を処理する時間を大幅に短縮する。
【００９１】
なお、本開示の実施例において、ラジオ周波数ユニット１３０１は、情報の送受信又は通話中で信号の送受信に用いられ、具体的に、基地局からのダウンリンクデータを受信した後、プロセッサ１３１０によって処理し、また、アップリンクデータを基地局に送信する。一般に、ラジオ周波数ユニット１３０１は、アンテナ、少なくとも１つの増幅器、トランシーバ、結合器、低雑音増幅器、デュプレクサなどを含むが、それらに限定されない。また、ラジオ周波数ユニット１３０１は、無線通信システムを介してネットワークや他の機器と通信を行うこともできる。
【００９２】
フレキシブルスクリーン端末は、ネットワークモジュール１３０２を介して、電子メールの送受信、ウェブページの閲覧、ストリーミングメディアへのアクセスを支援するなど、無線ブロードバンドインターネットアクセスをユーザに提供する。
【００９３】
オーディオ出力ユニット１３０３は、ラジオ周波数ユニット１３０１やネットワークモジュール１３０２が受信したオーディオデータや、メモリ１３０９に記憶されたオーディオデータを音声信号に変換して音声として出力することができる。また、オーディオ出力ユニット１３０３は、フレキシブルスクリーン端末１３００が実行する特定の機能に関する音声（例えば、呼出信号着信音、メッセージ着信音等）を出力してもよい。オーディオ出力ユニット１３０３は、スピーカ、ブザー及びレシーバなどを含む。
【００９４】
入力ユニット１３０４は、オーディオや映像の信号を受信することに用いられる。入力ユニット１３０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）  １３０４１と、マイク１３０４２とを含む。処理された画像フレームは、表示ユニット１３０６上に表示される。グラフィックスプロセッサ１３０４１で処理された画像フレームは、メモリ１３０９（又は他の記憶媒体）に記憶されるか、又はラジオ周波数ユニット１３０１又はネットワークモジュール１３０２を介して送信される。マイク１３０４２は、音声を受信し、オーディオデータに加工することができる。処理されたオーディオデータは、電話通話モードの場合、ラジオ周波数ユニット１３０１を介して移動体通信基地局に送信可能な形式に変換して出力することができる。
【００９５】
フレキシブルスクリーン端末１３００は、光センサ、モーションセンサ及び他のセンサのような少なくとも１つのセンサ１３０５を更に含む。具体的には、光センサは、周辺光センサ及び近接センサを含む。周辺光センサは、周辺光の明暗に応じて表示パネル１３０６１の輝度を調節し、近接センサは、フレキシブルスクリーン端末１３００が耳に移動したときに表示パネル１３０６１及び／又はバックライトを消灯する。モーションセンサの１種として、加速度計センサは、様々な方向（一般的には３軸）の加速度の大きさを検出でき、静止時は重力の大きさ及び方向を検出でき、フレキシブルスクリーン端末姿勢の認識（例えば、縦横画面切替、関連ゲーム、磁力計姿勢キャリブレーション）、振動認識関連機能（たとえば、歩数計、ノッキング）などに用いることができる。センサ１３０５は、指紋センサ、圧力センサ、虹彩センサ、分子センサ、ジャイロスコープ、気圧計、湿度計、温度計、赤外線センサなどを更に含むことができるが、ここでは枚挙しない。
【００９６】
表示ユニット１３０６は、ユーザが入力した情報やユーザに提供した情報を表示するために用いられる。表示ユニット１３０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル１３０６１を含んでもよい。
【００９７】
ユーザ入力ユニット１３０７は、数字や文字情報の入力を受け付け、ユーザによるフレキシブルスクリーン端末の設定や機能制御に関するキー信号の入力を行うことに用いられる。具体的に、ユーザ入力ユニット１３０７は、タッチパネル１３０７１と、その他の入力装置１３０７２とを含む。タッチパネル１３０７１は、タッチスクリーンとも呼ばれ、その上又は付近でのユーザのタッチ操作を取得可能である（たとえばユーザが指やスタイラスなどの任意の適切な物体や付属部材を用いたタッチパネル１３０７１の上又はタッチパネル１３０７１の付近での操作）。タッチパネル１３０７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ１３１０に送り、プロセッサ１３１０からの命令を受信して実行する。なお、タッチパネル１３０７１は、抵抗膜式、静電容量式、赤外線、表面弾性波など、種々の方式を用いて実現することができる。ユーザ入力ユニット１３０７は、タッチパネル１３０７１の他に、他の入力機器１３０７２を含んでもよい。具体的に、他の入力機器１３７２は、物理的なキーボード、機能キー（例えば、音量調節キー、スイッチキーなど）、トラックボール、マウス、レバーを含むが、ここでは枚挙しない。
【００９８】
更に、タッチパネル１３０７１は、表示パネル１３０６１に重ねられる。タッチパネル１３０７１は、その上又はその近くでタッチ操作を検出すると、プロセッサ１３１０に送信して、タッチイベントのタイプを決定する。次いで、プロセッサ１３１０は、タッチイベントのタイプに応じて、対応する視覚的出力を表示パネル１３０６１に提供する。図１３では、タッチパネル１３０７１と表示パネル１３０６１は、独立した２つの部品としてフレキシブルスクリーン端末の入出力機能を実現するが、実施例によっては、タッチパネル１３０７１と表示パネル１３０６１を一体化してフレキシブルスクリーン端末の入出力機能を実現することもでき、具体的にここでは限定しない。
【００９９】
インタフェースユニット１３０８は、外部装置とフレキシブルスクリーン端末１３００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット１３０８は、外部装置から入力（たとえば、データ情報、電力など）を受信し、受信した入力をフレキシブルスクリーン端末１３００内の１つ以上の要素に伝送するために使用されてもよく、又はフレキシブルスクリーン端末１３００と外部装置との間でデータを伝送するために使用されてもよい。
【０１００】
メモリ１３０９は、ソフトウェアプログラム及び様々なデータを格納するために使用される。メモリ１３０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、オーディオデータや電話帳など、携帯電話機の使用に応じて作成されたデータを記憶することができる。更に、メモリ１３０９は、高速ランダムアクセスメモリを含んでもよく、少なくとも１つの磁気ディスク記憶装置、フラッシュメモリデバイスなどの不揮発性メモリ、又は他の揮発性固体記憶デバイスを含んでもよい。
【０１０１】
プロセッサ１３１０は、フレキシブルスクリーン端末の制御センタであり、各種インタフェースや回線を用いてフレキシブルスクリーン端末全体の各部を接続し、メモリ１３０９に格納されたソフトウェアプログラム及び／又はモジュールを実行、メモリ１３０９に格納されたデータを呼び出してフレキシブルスクリーン端末の各種機能及び処理データを実行し、フレキシブルスクリーン端末全体の監視を行う。プロセッサ１３１０は、１つ以上の処理ユニットを含んでもよい。選択可能に、プロセッサ１３１０は、オペレーティングシステム、ユーザインタフェース及びアプリケーションなどを主に処理するアプリケーションプロセッサと、無線通信を主に処理するモデムプロセッサとを統合することができる。上述のモデムプロセッサは、プロセッサ１３１０に統合されなくてもよいことが理解される。
【０１０２】
フレキシブルスクリーン端末１３００は、各構成要素に電力を供給するためのバッテリのような電源１３１１を更に含んでもよい。選択可能に、電源１３１１は、電源管理システムを介してプロセッサ１３１０に論理的に接続されてもよく、電源管理システムを介して充電、放電、及び消費電力管理などを管理する機能を実現してもよい。
【０１０３】
また、フレキシブルスクリーン端末１３００は、図示しない機能モジュールを更に含んでもよく、ここでの説明は省略する。
【０１０４】
好ましくは、本開示の実施例は、プロセッサ１３１０と、メモリ１３０９と、メモリ１３０９に記憶され、前記プロセッサ１３１０で動作可能なコンピュータプログラムとを含むフレキシブルスクリーン端末を更に提供し、このコンピュータプログラムがプロセッサ１３１０によって実行されると、上記の画像処理方法の実施例の各プロセスが実現され、同じ効果を奏することもできるので、重複を避けるためにここでは繰り返して記載しない。
【０１０５】
本開示の実施例は、コンピュータプログラムが記憶されているコンピュータ読み取り可能な記憶媒体を更に提供し、このコンピュータプログラムがプロセッサによって実行されると、上記画像処理方法の各プロセスが実現され、且つ同じ技術効果を達成することができるので、重複を避けるためにここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど等である。
【０１０６】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「１つ…を含む」の表現によって限定される要素について、当該要素を含むプロセス、方法、モノ又は装置に他の同一要素の存在を除外しない。
【０１０７】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指令を含む。
【０１０８】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021516374.tif 000003
【図２】
2021516374.tif 000004
【図３】
2021516374.tif 000005
【図４】
2021516374.tif 000006
【図５】
2021516374.tif 000007
【図６】
2021516374.tif 000008
【図７】
2021516374.tif 000009
【図８】
2021516374.tif 000010
【図９】
2021516374.tif 000011
【図１０】
2021516374.tif 000012
【図１１】
2021516374.tif 000013
【図１２】
2021516374.tif 000014
【図１３】
2021516374.tif 000015
【手続補正書】
【提出日】令和2年10月2日(2020.10.2)
【手続補正１】
【補正対象書類名】明細書
【補正対象項目名】００３３
【補正方法】変更
【補正の内容】
【００３３】
このステップの実現手順及び利点は、ステップ１０２の記載を参照してもよく、ここではその説明が省略される。
【手続補正２】
【補正対象書類名】明細書
【補正対象項目名】００５５
【補正方法】変更
【補正の内容】
【００５５】
図９を参照する。図９は、本発明の実施例によるフレキシブルスクリーン端末の画面状態変化を示す図その４である。第３入力が検出される前に、フレキシブルスクリーン端末の画面は、第７画面状態９０１にある。この場合、フレキシブルスクリーン端末の画面の第１表示領域９０１１及び第２表示領域９０１２は、共にＯＳＤである。第３入力が検出されると、フレキシブルスクリーン端末の画面は、第８画面状態９０２に遷移する。すなわち、第１表示領域９０２１の画面モードは、ＡＯＤに調整され、第２表示領域９０２２の画面モードは、ＯＳＤに維持する。
【手続補正３】
【補正対象書類名】明細書
【補正対象項目名】００６１
【補正方法】変更
【補正の内容】
【００６１】
図１０を参照する。図１０は、本開示の実施例によるフレキシブルスクリーン端末の画面を示す図その４である。図１０に示すフレキシブルスクリーン端末の表示領域は、第１表示領域１００１と、第２表示領域１００２とを含む。第２表示領域には複数のターゲット画像１００３が表示され、所定の第２所定方向へのドラッグ操作１００４に基づいて、複数のターゲット画像１００３のうち少なくとも１つのターゲット画像を削除する。例えば、第２所定方向へのドラッグ操作１００４は、斜め上方向へのドラッグ操作及び斜め下方向へのドラッグ操作を含む。
【手続補正４】
【補正対象書類名】特許請求の範囲
【補正対象項目名】全文
【補正方法】変更
【補正の内容】
【特許請求の範囲】
【請求項１】
フレキシブルスクリーン端末に応用される画像処理方法であって、
フレキシブルスクリーン端末の操作者からの前記フレキシブルスクリーン端末を曲げるための第１入力を受信ことと、
前記第１入力に応答して、フレキシブルスクリーン端末の第１表示領域にＮ（正の整数）個の画像を表示し、前記フレキシブルスクリーン端末の第２表示領域に操作制御領域を表示することと、
前記Ｎ個の画像のうちのＭ（正の整数であり、Ｍ≦Ｎ）個のターゲット画像を選択するためのユーザの第２入力を受信することと、
前記第２入力に応答して、前記第２入力で選択されたＭ個のターゲット画像を前記操作制御領域に表示することと、
前記第１表示領域に前記Ｍ個のターゲット画像内のテキスト情報を表示することとを含み、
ここで、前記第１表示領域及び前記第２表示領域は、前記第１入力で形成される第１折れ線によってフレキシブルスクリーン端末の表示領域を分割した２つの領域である、画像処理方法。
【請求項２】
前記のユーザの第２入力を受信することは、
前記フレキシブルスクリーン端末を曲げるユーザの第２入力を受信することを含み、
前記第２入力に応答して、前記第２入力で選択されたＭ個のターゲット画像を前記操作制御領域に表示することは、
前記第２入力で形成される第２折れ線を取得することと、
前記第２折れ線の所定側のＭ個のターゲット画像を前記操作制御領域に表示することとを含む、請求項１に記載の画像処理方法。
【請求項３】
前記第２表示領域は、前記第１表示領域に表示されるＮ個の画像の位置及び大きさにそれぞれ１対１に対応する位置及び大きさを有するＮ個の空白サブ領域を含み、
前記のユーザの第２入力を受信することは、
前記第２表示領域のＭ個のターゲットサブ領域におけるユーザのＭ回のタッチ操作を受信することを含み、
前記の前記第２入力に応答して、前記第２入力で選択されたＭ個のターゲット画像を前記操作制御領域に表示することは、
前記第１表示領域に表示されたＮ個の画像のうち、前記Ｍ個のターゲットサブ領域の位置にそれぞれ対応するＭ個のターゲット画像を前記操作制御領域に表示することを含む、請求項１に記載の画像処理方法。
【請求項４】
前記のユーザの第２入力を受信することは、
前記第１表示領域のＭ個のターゲット画像に対するユーザのＭ回の制御操作を受信することを含み、
ここで、前記制御操作は、ターゲット画像を押圧して前記フレキシブルスクリーン端末の第１表示領域を回転させる回転操作と、ターゲット画像をクリックする操作と、ターゲット画像上でのスライド操作の少なくとも一つを含む、請求項１に記載の画像処理方法。
【請求項５】
前記第２入力で選択されたＭ個のターゲット画像を前記操作制御領域に表示することは、
前記第２入力で選択されたターゲット画像が前記操作制御領域に移動する移動軌跡を表示することを含む、請求項１に記載の画像処理方法。
【請求項６】
前記の前記第１表示領域に前記Ｍ個のターゲット画像内のテキスト情報を表示した後に、
ユーザからの前記フレキシブルスクリーンの画面表示モードを調整するための第３入力を受信することと、
前記第３入力に応答して、前記第１表示領域の画面モードをＡＯＤ（Ａｌｗａｙｓ  Ｏｎ  Ｄｉｓｐｌａｙ）に調整し、前記第２表示領域の画面モードをＯＳＤ（Ｏｎ  Ｓｃｒｅｅｎ  Ｄｉｓｐｌａｙ）に維持することとを更に含む、請求項１に記載の画像処理方法。
【請求項７】
前記の前記第１表示領域に前記Ｍ個のターゲット画像内のテキスト情報を表示する前に、
前記第２表示領域に対するユーザの第４入力を受信することを更に含み、
ここで、前記第４入力は、第１所定方向の１本の指のスライド操作又は複数指のスライド操作であり、
前記第１表示領域に前記Ｍ個のターゲット画像内のテキスト情報を表示することは、
前記第４入力に応答して、前記第１表示領域に前記Ｍ個のターゲット画像内のテキスト情報を表示することを含む、請求項１に記載の画像処理方法。
【請求項８】
前記の前記第２入力で選択されたＭ個のターゲット画像を前記操作制御領域に表示した後に、
前記第２表示領域に表示された第１ターゲット画像に対するユーザの第５入力を受信することと、
前記第５入力に応答して、前記第２表示領域上の前記第１ターゲット画像の表示を消去することとを更に含み、
ここで、前記第５入力は、前記第１ターゲット画像に対する第２所定方向へのドラッグ操作である、請求項１に記載の画像処理方法。
【請求項９】
フレキシブルスクリーン端末の操作者からの前記の第１入力を受信する前に、
前記フレキシブルスクリーン端末の表示領域に第１データを全画面表示することを更に含み、
前記第１表示領域に前記Ｍ個のターゲット画像内のテキスト情報を表示した後に、
前記フレキシブルスクリーンが展開状態に復帰した場合に、前記第１入力を受信する前に表示されていた前記第１データを前記フレキシブルスクリーン端末の表示領域に全画面表示するように制御することを更に含む、請求項１に記載の画像処理方法。
【請求項１０】
フレキシブルスクリーン端末であって、
フレキシブルスクリーン端末の操作者からの前記フレキシブルスクリーン端末を曲げるための第１入力を受信ための第１受信モジュールと、
前記第１入力に応答して、フレキシブルスクリーン端末の第１表示領域にＮ（正の整数）個の画像を表示し、前記フレキシブルスクリーン端末の第２表示領域に操作制御領域を表示するための第１表示モジュールと、
前記Ｎ個の画像のうちのＭ（正の整数であり、Ｍ≦Ｎ）個のターゲット画像を選択するためのユーザの第２入力を受信するための第２受信モジュールと、
前記第２入力に応答して、前記第２入力で選択されたＭ個のターゲット画像を前記操作制御領域に表示するための第２表示モジュールと、
前記第１表示領域に前記Ｍ個のターゲット画像内のテキスト情報を表示するための第３表示モジュールとを含み、
ここで、前記第１表示領域及び前記第２表示領域は、前記第１入力で形成される第１折れ線によってフレキシブルスクリーン端末の表示領域を分割した２つの領域である、フレキシブルスクリーン端末。
【請求項１１】
前記第２受信モジュールは、更に、前記フレキシブルスクリーン端末を曲げるユーザの第２入力を受信することに用いられ、
前記第２表示モジュールは、
前記第２入力で形成される第２折れ線を取得するための取得サブモジュールと、
前記第２折れ線の所定側のＭ個のターゲット画像を前記操作制御領域に表示するための表示サブモジュールとを含む、請求項１０に記載のフレキシブルスクリーン端末。
【請求項１２】
前記第２表示領域は、前記第１表示領域に表示されるＮ個の画像の位置及び大きさにそれぞれ１対１に対応する位置及び大きさを有するＮ個の空白サブ領域を含み、
前記第２受信モジュールは、更に、前記第２表示領域のＭ個のターゲットサブ領域におけるユーザのＭ回のタッチ操作を受信することに用いられ、
前記第２表示モジュールは、更に、前記第１表示領域に表示されたＮ個の画像のうち、前記Ｍ個のターゲットサブ領域の位置にそれぞれ対応するＭ個のターゲット画像を前記操作制御領域に表示することに用いられる、請求項１０に記載のフレキシブルスクリーン端末。
【請求項１３】
前記第２受信モジュールは、更に、前記第１表示領域のＭ個のターゲット画像に対するユーザのＭ回の制御操作を受信することに用いられ、
ここで、前記制御操作は、ターゲット画像を押圧して前記フレキシブルスクリーン端末の第１表示領域を回転させる回転操作と、ターゲット画像をクリックする操作と、ターゲット画像上でのスライド操作の少なくとも一つを含み、
又は、
前記第２表示モジュールは、更に、前記第２入力で選択されたターゲット画像が前記操作制御領域に移動する移動軌跡を表示することに用いられる、請求項１０に記載のフレキシブルスクリーン端末。
【請求項１４】
ユーザからの前記フレキシブルスクリーンの画面表示モードを調整するための第３入力を受信するための第３受信モジュールと、
前記第３入力に応答して、前記第１表示領域の画面モードをＡＯＤに調整し、前記第２表示領域の画面モードをＯＳＤに維持するための調整モジュールとを更に含み、
又は、
前記第２表示領域に対するユーザの第４入力を受信するための第４受信モジュールを更に含み、
ここで、前記第４入力は、第１所定方向の１本の指のスライド操作又は複数指のスライド操作であり、
前記第３表示モジュールは、更に、前記第４入力に応答して、前記第１表示領域に前記Ｍ個のターゲット画像内のテキスト情報を表示することに用いられる、請求項１０に記載のフレキシブルスクリーン端末。
【請求項１５】
前記第２表示領域に表示された第１ターゲット画像に対するユーザの第５入力を受信するための第５受信モジュールと、
前記第５入力に応答して、前記第２表示領域上の前記第１ターゲット画像の表示を消去するための消去モジュールとを更に含み、
ここで、前記第５入力は、前記第１ターゲット画像に対する第２所定方向へのドラッグ操作であり、
又は、
フレキシブルスクリーン端末の操作者からの前記の第１入力を受信する前に、前記フレキシブルスクリーン端末の表示領域に第１データを全画面表示するための第４表示モジュールと、
前記第１表示領域に前記Ｍ個のターゲット画像内のテキスト情報を表示した後に、前記フレキシブルスクリーンが展開状態に復帰した場合に、前記第１入力を受信する前に表示されていた前記第１データを前記フレキシブルスクリーンの表示領域に全画面表示するように制御するための復帰モジュールとを更に含む、請求項１０に記載のフレキシブルスクリーン端末。
【国際調査報告】
2021516374.tif 000016
2021516374.tif 000017
2021516374.tif 000018
2021516374.tif 000019